(57)【要約】【課題】各地域における商品の購買状況の変遷を、容易にユーザが理解することができるように表示させる。【解決手段】地域の購買状況の変遷を示す動画データとして、表示位置に対応する地域の購買状況を外観で示すオブジェクトが配置された地図の動画データと、予め定められた期間単位で購買状況が順次表示される表の動画データとを購買情報に基づいて生成する生成手段と、属性情報に基づいて、端末装置において地図の動画が表示される地図表示領域と、端末装置において表の動画が表示される表表示領域との比率を制御する比率制御手段と、地図の動画データ及び表の動画データを端末装置により再生させて、地図の動画及び表の動画を表示させる再生制御手段と、を備える。【選択図】図２
2013167915.tif 000002
【特許請求の範囲】
【請求項１】
端末装置がネットワークを介して接続可能なサーバ装置であって、
地域における商品の購買状況の履歴を示す購買情報と、商品の属性を示す属性情報とを記憶する購買情報記憶手段と、
前記地域の前記購買状況の変遷を示す動画データとして、表示位置に対応する前記地域の前記購買状況を外観で示すオブジェクトが配置された地図の動画データと、予め定められた期間単位で前記購買状況が順次表示される表の動画データとを前記購買情報に基づいて生成する生成手段と、
前記属性情報に基づいて、前記端末装置において前記地図の動画が表示される地図表示領域と、前記端末装置において前記表の動画が表示される表表示領域との比率を制御する比率制御手段と、
前記地図の動画データ及び前記表の動画データを前記端末装置により再生させて、前記地図の動画及び前記表の動画を表示させる再生制御手段と、
を備えることを特徴とするサーバ装置。
【請求項２】
請求項１に記載のサーバ装置において、
前記再生制御手段は、前記地図の動画と前記表の動画との間で前記購買状況の変遷が同期するように、前記地図の動画データ及び前記表の動画データを前記端末装置により再生させることを特徴とするサーバ装置。
【請求項３】
請求項１または請求項２に記載のサーバ装置において、
前記地図表示領域及び前記表表示領域に対するユーザ操作の履歴を示す履歴情報を記憶する履歴情報記憶手段を更に備え、
前記比率制御手段は、前記属性情報及び前記履歴情報に基づいて、前記比率を制御することを特徴とするサーバ装置。
【請求項４】
請求項１または請求項２に記載のサーバ装置において、
商品の在庫数を示す在庫情報を取得する在庫情報取得手段を更に備え、
前記比率制御手段は、前記属性情報及び前記在庫情報に基づいて、前記比率を制御することを特徴とするサーバ装置。
【請求項５】
請求項１乃至４の何れか１項に記載のサーバ装置において、
前記端末装置のユーザの商圏を示す商圏情報を取得する商圏情報取得手段を更に備え、
前記生成手段は、前記商圏情報が示す商圏に含まれる前記地域の購買状況の変遷が示されるように、前記地図の動画データ及び前記表の動画データを生成することを特徴とするサーバ装置。
【請求項６】
請求項１乃至５の何れか１項に記載のサーバ装置において、
前記生成手段は、互いに異なる複数の期間それぞれの前記購買状況を示す複数の前記オブジェクトが前記地図上に同時に表示されるように、前記地図の動画データを生成することを特徴とするサーバ装置。
【請求項７】
請求項１乃至６の何れか１項に記載のサーバ装置において、
前記地図表示領域からユーザが前記オブジェクトを指定した場合に、指定された前記オブジェクトの表示位置に対応する前記地域を特定するための特定情報を前記端末装置から取得する特定情報取得手段と、
前記取得された特定情報により特定される前記地域の前記購買情報に基づいて、当該地域の前記購買状況の変遷を示すグラフを、前記端末装置に表示させる表示制御手段と、
を更に備えることを特徴とするサーバ装置。
【請求項８】
端末装置がネットワークを介して接続可能なサーバ装置に含まれるコンピュータに、
地域における商品の購買状況の変遷を示す動画データとして、表示位置に対応する前記地域の前記購買状況を外観で示すオブジェクトが配置された地図の動画データと、予め定められた期間単位で前記購買状況が順次表示される表の動画データと、を前記購買状況の履歴を示す購買情報と商品の属性を示す属性情報とを記憶する購買情報記憶手段に記憶された前記購買情報に基づいて生成する生成ステップと、
前記属性情報に基づいて、前記端末装置において前記地図の動画が表示される地図表示領域と、前記端末装置において前記表の動画が表示される表表示領域との比率を制御する比率制御ステップと、
前記地図の動画データ及び前記表の動画データを前記端末装置により再生させて、前記地図の動画及び前記表の動画を表示させる再生制御ステップと、
を実行させることを特徴とする動画再生制御プログラム。
【請求項９】
端末装置がネットワークを介して接続可能なサーバ装置に含まれるコンピュータに、
地域における商品の購買状況の変遷を示す動画データとして、表示位置に対応する前記地域の前記購買状況を外観で示すオブジェクトが配置された地図の動画データと、予め定められた期間単位で前記購買状況が順次表示される表の動画データと、を前記購買状況の履歴を示す購買情報と商品の属性を示す属性情報とを記憶する購買情報記憶手段に記憶された前記購買情報に基づいて生成する生成ステップと、
前記属性情報に基づいて、前記端末装置において前記地図の動画が表示される地図表示領域と、前記端末装置において前記表の動画が表示される表表示領域との比率を制御する比率制御ステップと、
前記地図の動画データ及び前記表の動画データを前記端末装置により再生させて、前記地図の動画及び前記表の動画を表示させる再生制御ステップと、
を実行させる動画再生制御プログラムがコンピュータ読み取り可能に記録されていることを特徴とする記録媒体。
【請求項１０】
地域における商品の購買状況を外観で示すオブジェクトが配置された地図が表示される地図表示領域と、前記地域における商品の購買状況を、予め定められた期間毎に示すための表が表示される表表示領域と、を商品の属性に応じた前記地図表示領域と前記表表示領域との比率に対応して制御する領域制御手段と、
前記地図表示領域に前記地図を表示し、前記表表示領域に前記表を表示する表示手段と、
前記表示手段による表示の時間が経過するに従って、前記オブジェクトの外観を前記購買状況の変遷に応じて変化させ、前記購買状況を前記期間単位で順次前記表内に表示する制御手段と、
を備えることを特徴とする表示装置。
【請求項１１】
商品の購買状況を表示する表示装置に含まれるコンピュータを、
地域における商品の購買状況を外観で示すオブジェクトが配置された地図が表示される地図表示領域と、前記地域における商品の購買状況を、予め定められた期間毎に示すための表が表示される表表示領域と、を商品の属性に応じた前記地図表示領域と前記表表示領域との比率に対応して制御する領域制御ステップと、
前記地図表示領域に前記地図を表示し、前記表表示領域に前記表を表示する表示ステップと、
前記表示ステップにおける表示の時間が経過するに従って、前記オブジェクトの外観を前記購買状況の変遷に応じて変化させ、前記購買状況を前記期間単位で順次前記表内に表示する制御ステップと、
を実行させることを特徴とする購買状況表示プログラム。
【請求項１２】
商品の購買状況を表示する表示装置に含まれるコンピュータを、
地域における商品の購買状況を外観で示すオブジェクトが配置された地図が表示される地図表示領域と、前記地域における商品の購買状況を、予め定められた期間毎に示すための表が表示される表表示領域と、を商品の属性に応じた前記地図表示領域と前記表表示領域との比率に対応して制御する領域制御ステップと、
前記地図表示領域に前記地図を表示し、前記表表示領域に前記表を表示する表示ステップと、
前記表示ステップにおける表示の時間が経過するに従って、前記オブジェクトの外観を前記購買状況の変遷に応じて変化させ、前記購買状況を前記期間単位で順次前記表内に表示する制御ステップと、
を実行させる購買状況表示プログラムがコンピュータ読み取り可能に記録されていることを特徴とする記録媒体。
【発明の詳細な説明】
【技術分野】
【０００１】
本発明は、商品の購買状況を端末装置に表示させるためのサーバ装置、動画再生制御プログラム、表示装置、購買状況表示プログラム及び記録媒体の技術分野に関する。
【背景技術】
【０００２】
近年、インターネット上での電子商取引が盛んに行われている。消費者は、インターネットを利用することにより、自宅にいながら容易に商品を購入することができる。また、販売者としても、様々な地域の消費者に対して容易に商品を販売することができるようになった。
【０００３】
このような状況下において、販売者は、マーケティングのために地域別の情報を得たいと考える場合がある。そして、こうした地域別の情報を提供する技術が種々提案されている。例えば、特許文献１には、売上情報を示す地図を表示する技術が開示されている。具体的に、この技術における売上分析装置は、売り上げの管理対象となる地域を複数の住所ブロックに分割して、住所ブロック毎に売上情報を集計し、集計結果に応じた色が住所ブロック毎に付された地図を画面上に表示する。
【先行技術文献】
【特許文献】
【０００４】
【特許文献１】特開平１０−２０７９５８号公報
【発明の概要】
【発明が解決しようとする課題】
【０００５】
しかしながら、特許文献１に記載の技術のように、住所ブロック毎に色分け表示されただけでは、各住所ブロックの状況を具体的に理解することができるとはいえなかった。また、特許文献１に記載の技術では、ユーザは、一時点での情報しか確認することができないという問題がある。マーケティングの際には、時の経過につれて購買状況がどのように変化したのかということも、重要な情報となる場合がある。
【０００６】
そこで、本発明は以上の点に鑑みてなされたものであり、各地域における商品の購買状況の変遷を、容易にユーザが理解することができるように表示させることを可能とするサーバ装置、動画再生制御プログラム、表示装置、購買状況表示プログラム及び記録媒体を提供することを目的とする。
【課題を解決するための手段】
【０００７】
上記課題を解決するために、請求項１に記載の発明は、端末装置がネットワークを介して接続可能なサーバ装置であって、地域における商品の購買状況の履歴を示す購買情報と、商品の属性を示す属性情報とを記憶する購買情報記憶手段と、前記地域の前記購買状況の変遷を示す動画データとして、表示位置に対応する前記地域の前記購買状況を外観で示すオブジェクトが配置された地図の動画データと、予め定められた期間単位で前記購買状況が順次表示される表の動画データとを前記購買情報に基づいて生成する生成手段と、前記属性情報に基づいて、前記端末装置において前記地図の動画が表示される地図表示領域と、前記端末装置において前記表の動画が表示される表表示領域との比率を制御する比率制御手段と、前記地図の動画データ及び前記表の動画データを前記端末装置により再生させて、前記地図の動画及び前記表の動画を表示させる再生制御手段と、を備えることを特徴とする。
【０００８】
この発明によれば、地図の動画データ及び表の動画データの再生により、オブジェクトが配置された地図の動画と、購買状況を表示するための表の動画とが表示される。そして、商品の購買状況の変遷が地図上のオブジェクトと表とにより示されるので、購買状況の変遷を、ユーザが直感的に且つ具体的に理解することができる。また、購買状況の変遷を具体的に見る方が良い商品であるか否か等に応じて、地図の動画が表示される領域と、表の動画が表示される領域と、の比率が変わるので、購買状況の変遷をユーザが容易に理解することができる。
【０００９】
請求項２に記載の発明は、請求項１に記載のサーバ装置において、前記再生制御手段は、前記地図の動画と前記表の動画との間で前記購買状況の変遷が同期するように、前記地図の動画データ及び前記表の動画データを前記端末装置により再生させることを特徴とする。
【００１０】
この発明によれば、オブジェクトの外観の変化と、表における購買状況の表示とが同期するので、購買状況の変遷をユーザがより理解しやすくなる。
【００１１】
請求項３に記載の発明は、請求項１または請求項２に記載のサーバ装置において、前記地図表示領域及び前記表表示領域に対するユーザ操作の履歴を示す履歴情報を記憶する履歴情報記憶手段を更に備え、前記比率制御手段は、前記属性情報及び前記履歴情報に基づいて、前記比率を制御することを特徴とする。
【００１２】
この発明によれば、地図の動画が表示される領域と、表の動画が表示される領域との比率を、ユーザに合った比率にすることができる。
【００１３】
請求項４に記載の発明は、請求項１または請求項２に記載のサーバ装置において、商品の在庫数を示す在庫情報を取得する在庫情報取得手段を更に備え、前記比率制御手段は、前記属性情報及び前記在庫情報に基づいて、前記比率を制御することを特徴とする。
【００１４】
この発明によれば、購買状況の変遷を具体的に見る方が良い在庫数であるか否か等に応じて、地図の動画が表示される領域と、表の動画が表示される領域と、の比率を変えることができる。
【００１５】
請求項５に記載の発明は、請求項１乃至４の何れか１項に記載のサーバ装置において、前記端末装置のユーザの商圏を示す商圏情報を取得する商圏情報取得手段を更に備え、前記生成手段は、前記商圏情報が示す商圏に含まれる前記地域の購買状況の変遷が示されるように、前記地図の動画データ及び前記表の動画データを生成することを特徴とする。
【００１６】
この発明によれば、購買状況の表示範囲をユーザの商圏に応じた範囲にすることができるので、購買状況の変遷をユーザがより理解しやすくなる。
【００１７】
請求項６に記載の発明は、請求項１乃至５の何れか１項に記載のサーバ装置において、前記生成手段は、互いに異なる複数の期間それぞれの前記購買状況を示す複数の前記オブジェクトが前記地図上に同時に表示されるように、前記地図の動画データを生成することを特徴とする。
【００１８】
この発明によれば、複数のオブジェクトが表示されることにより、購買状況の変遷を、ユーザが一見して直感的に理解することができる。
【００１９】
請求項７に記載の発明は、請求項１乃至６の何れか１項に記載のサーバ装置において、前記地図表示領域からユーザが前記オブジェクトを指定した場合に、指定された前記オブジェクトの表示位置に対応する前記地域を特定するための特定情報を前記端末装置から取得する特定情報取得手段と、前記取得された特定情報により特定される前記地域の前記購買情報に基づいて、当該地域の前記購買状況の変遷を示すグラフを、前記端末装置に表示させる表示制御手段と、を更に備えることを特徴とする。
【００２０】
この発明によれば、ユーザが所望する地域における商品の購買状況の変遷を、ユーザが一見して直感的に理解することができる。
【００２１】
請求項８に記載の発明は、端末装置がネットワークを介して接続可能なサーバ装置に含まれるコンピュータに、地域における商品の購買状況の変遷を示す動画データとして、表示位置に対応する前記地域の前記購買状況を外観で示すオブジェクトが配置された地図の動画データと、予め定められた期間単位で前記購買状況が順次表示される表の動画データと、を前記購買状況の履歴を示す購買情報と商品の属性を示す属性情報とを記憶する購買情報記憶手段に記憶された前記購買情報に基づいて生成する生成ステップと、前記属性情報に基づいて、前記端末装置において前記地図の動画が表示される地図表示領域と、前記端末装置において前記表の動画が表示される表表示領域との比率を制御する比率制御ステップと、前記地図の動画データ及び前記表の動画データを前記端末装置により再生させて、前記地図の動画及び前記表の動画を表示させる再生制御ステップと、を実行させることを特徴とする。
【００２２】
請求項９に記載の発明は、端末装置がネットワークを介して接続可能なサーバ装置に含まれるコンピュータに、地域における商品の購買状況の変遷を示す動画データとして、表示位置に対応する前記地域の前記購買状況を外観で示すオブジェクトが配置された地図の動画データと、予め定められた期間単位で前記購買状況が順次表示される表の動画データと、を前記購買状況の履歴を示す購買情報と商品の属性を示す属性情報とを記憶する購買情報記憶手段に記憶された前記購買情報に基づいて生成する生成ステップと、前記属性情報に基づいて、前記端末装置において前記地図の動画が表示される地図表示領域と、前記端末装置において前記表の動画が表示される表表示領域との比率を制御する比率制御ステップと、前記地図の動画データ及び前記表の動画データを前記端末装置により再生させて、前記地図の動画及び前記表の動画を表示させる再生制御ステップと、を実行させる動画再生制御プログラムがコンピュータ読み取り可能に記録されていることを特徴とする。
【００２３】
請求項１０に記載の発明は、地域における商品の購買状況を外観で示すオブジェクトが配置された地図が表示される地図表示領域と、前記地域における商品の購買状況を、予め定められた期間毎に示すための表が表示される表表示領域と、を商品の属性に応じた前記地図表示領域と前記表表示領域との比率に対応して制御する領域制御手段と、前記地図表示領域に前記地図を表示し、前記表表示領域に前記表を表示する表示手段と、前記表示手段による表示の時間が経過するに従って、前記オブジェクトの外観を前記購買状況の変遷に応じて変化させ、前記購買状況を前記期間単位で順次前記表内に表示する制御手段と、を備えることを特徴とする。
【００２４】
請求項１１に記載の発明は、商品の購買状況を表示する表示装置に含まれるコンピュータを、地域における商品の購買状況を外観で示すオブジェクトが配置された地図が表示される地図表示領域と、前記地域における商品の購買状況を、予め定められた期間毎に示すための表が表示される表表示領域と、を商品の属性に応じた前記地図表示領域と前記表表示領域との比率に対応して制御する領域制御ステップと、前記地図表示領域に前記地図を表示し、前記表表示領域に前記表を表示する表示ステップと、前記表示ステップにおける表示の時間が経過するに従って、前記オブジェクトの外観を前記購買状況の変遷に応じて変化させ、前記購買状況を前記期間単位で順次前記表内に表示する制御ステップと、を実行させることを特徴とする。
【００２５】
請求項１２に記載の発明は、商品の購買状況を表示する表示装置に含まれるコンピュータを、地域における商品の購買状況を外観で示すオブジェクトが配置された地図が表示される地図表示領域と、前記地域における商品の購買状況を、予め定められた期間毎に示すための表が表示される表表示領域と、を商品の属性に応じた前記地図表示領域と前記表表示領域との比率に対応して制御する領域制御ステップと、前記地図表示領域に前記地図を表示し、前記表表示領域に前記表を表示する表示ステップと、前記表示ステップにおける表示の時間が経過するに従って、前記オブジェクトの外観を前記購買状況の変遷に応じて変化させ、前記購買状況を前記期間単位で順次前記表内に表示する制御ステップと、を実行させる購買状況表示プログラムがコンピュータ読み取り可能に記録されていることを特徴とする。
【発明の効果】
【００２６】
本発明によれば、商品の購買状況の変遷が地図上のオブジェクトと表とにより示されるので、購買状況の変遷を、ユーザが直感的に且つ具体的に理解することができる。また、購買状況の変遷を具体的に見る方が良い商品であるか否か等に応じて、地図の動画が表示される領域と、表の動画が表示される領域と、の比率が変わるので、購買状況の変遷をユーザが容易に理解することができる。
【図面の簡単な説明】
【００２７】
【図１】一実施形態に係る情報提供システムＳの概要構成の一例を示す図である。
【図２】動画再生用ページ１００の画面表示例である。
【図３】動画再生用ページ１００の画面表示例である。
【図４】動画再生用ページ１００の画面表示例である。
【図５】（ａ）及び（ｂ）は、地図動画表示領域Ｓ１と表動画表示領域Ｓ２との分割比率の変更例である。
【図６】（ａ）は、グラフ画像１１０の画面表示例であり、（ｂ）は、商品ページ１２０の画面表示例である。
【図７】一実施形態に係る情報提供サーバ１の概要構成の一例を示すブロック図である。
【図８】一実施形態に係るＥＣサーバ２の概要構成の一例を示すブロック図である。
【図９】一実施形態に係る店舗端末３の概要構成の一例を示すブロック図である。
【図１０】一実施形態に係る情報提供サーバ１のシステム制御部１４における処理例を示すフローチャートである。
【図１１】一実施形態に係る情報提供サーバ１のシステム制御部１４におけるリクエスト対応処理の処理例を示すフローチャートである。
【図１２】一実施形態に係る店舗端末３のシステム制御部３７における処理例を示すフローチャートである。
【図１３】オブジェクトＪ１ａ〜Ｊ１ｃの表示例である。
【発明を実施するための形態】
【００２８】
以下、図面を参照して本発明の実施形態について詳細に説明する。なお、以下に説明する実施の形態は、情報提供システムに対して本発明を適用した場合の実施形態である。
【００２９】
［１．情報提供システムの構成及び機能概要］
先ず、本実施形態に係る情報提供システムＳの構成及び概要機能について、図１乃至図６を用いて説明する。
【００３０】
図１は、本実施形態に係る情報提供システムＳの概要構成の一例を示す図である。
【００３１】
図１に示すように、情報提供システムＳは、サーバ装置の一例としての情報提供サーバ１と、ＥＣサーバ２と、端末装置及び表示装置の一例としての複数の店舗端末３と、複数のユーザ端末４と、を含んで構成されている。
【００３２】
情報提供サーバ１と、ＥＣサーバ２と、各店舗端末３と、各ユーザ端末４とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００３３】
情報提供サーバ１は、所定のＥＣ（Electronic Commerce）サイトにおける商品の購買状況の変遷を都道府県別（本発明の地域の一例）に示す動画（以下、「購買情報動画」と称する）を、店舗端末３の画面に表示させる。購買情報動画は、２種類存在する。第１の購買情報動画は、日本地図が表示される動画（以下、「地図動画」と称する）であり、第２の購買情報動画は、表形式で購買状況が表示される動画（以下、「表動画」と称する）である。情報提供サーバ１は、地図動画と表動画とを、店舗端末３により同時に表示させる。
【００３４】
地図動画及び表動画の表示のため、情報提供サーバ１は、地図動画の動画データ（以下、「地図動画データ」と称する）と表動画の動画データ（以下、「表動画データ」と称する）を生成する。そして、情報提供サーバ１は、生成した地図動画データ及び表動画データを、例えば、ストリーミング方式で店舗端末３に送信して、この地図動画データ及び表動画データを店舗端末３により再生させる。
【００３５】
ＥＣサーバ２は、上述したＥＣサイトを構成するサーバ装置である。このＥＣサイトは、例えば、ネットショッピングサイトである。ＥＣサーバ２は、ユーザ端末４からのリクエストに応じて、商品に関するＷｅｂページの送信、商品の検索、商品の売買を成立させるための処理等を実行する。
【００３６】
店舗端末３は、ＥＣサイトで商品を販売する店舗の従業員（以下、「店舗ユーザ」と称する）に利用される端末装置である。店舗端末３は、例えば、パーソナルコンピュータ等である。
【００３７】
ユーザ端末４は、ＥＣサイトで商品を購入するユーザに利用される端末装置である。ユーザ端末４は、例えば、パーソナルコンピュータ、ＰＤＡ（Personal Digital Assistant）、携帯電話機等である。
【００３８】
ここで、地図動画及び表動画の画面表示について説明する。
【００３９】
店舗ユーザは、地図動画及び表動画を表示させる際に、購買状況の変遷を表示させる対象となる商品（以下、「対象商品」と称する）及び期間（以下、「対象期間」と称する）は、店舗ユーザが指定することができる。
【００４０】
図２乃至図４は、動画再生用ページ１００の画面表示例である。
【００４１】
店舗端末３が、地図動画及び表動画を再生する場合、図２に示すように、店舗端末３の画面には、動画再生用のＷｅｂページ（以下、「動画再生用ページ」と称する）１００が表示される。この動画再生用ページ１００には、地図動画が表示される地図動画表示領域Ｓ１、表動画が表示される表動画表示領域Ｓ２、分割バー１０１及び操作パネル１０２が表示される。
【００４２】
地図動画表示領域Ｓ１と表動画表示領域Ｓ２とは、分割バー１０１を介して互いに接するようにして横並びで配置されている。分割バー１０１は、地図動画表示領域Ｓ１と表動画表示領域Ｓ２との境界上に配置されている。操作パネル１０２には、例えば、停止ボタン、再生ボタン、一時停止ボタン等の各種ボタンや、時間軸上における現在の再生位置を示すインジケーターを含むインジケーターバー１０３が表示される。
【００４３】
地図動画表示領域Ｓ１には、日本地図Ｍが表示されるとともに、商品の購買状況を示すオブジェクトＪｎ（ｎ＝１，２，３・・・）が都道府県毎に表示される。このオブジェクトＪｎは、購買状況に応じた外観を有する図形である。オブジェクトＪｎの外観は、例えば、オブジェクトＪｎの大きさ（表示サイズ）、色、模様、形状等がある。そして、地図動画の再生が進むに従って、各都道府県の購買状況の変遷に応じて、各オブジェクトの外観も変化する。
【００４４】
オブジェクトＪｎは、購買状況の一例として、総購買数及び購買割合を示す。総購買数は、例えば、店舗により指定された対象期間の開始日から、各日の購買数を積算した値である。従って、総購買数は、時間の経過とともに増加することはあるが、減少することはない。なお、店舗ユーザにより指定された対象期間の開始日に関わらず、所定の日付からの購買数の積算値を、総購買数としても良い。または、ＥＣサイトの開設時点からの購買数の積算値を、総購買数としても良い。購買割合は、その都道府県における人口に対する商品の総購買数の割合である。
【００４５】
オブジェクトＪｎの大きさは、オブジェクトＪｎの表示位置に対応する都道府県における総購買数を示している。そして、総購買数が多いほど、オブジェクトＪｎが大きく表示される。また、総購買数が０である場合、オブジェクトＪｎは表示されない。
【００４６】
オブジェクトＪｎの色は、オブジェクトＪｎの表示位置に対応する都道府県における購買割合を示している。具体的には、オブジェクトＪｎは、所定の色相の色で表示されるが、購買割合が小さいほど、オブジェクトＪｎの色が濃くなり、購買割合が大きいほど、オブジェクトＪｎの色が薄くなる。この色分けは、例えば、人口に相当する個数までは（単純計算では、その都道府県の全住人が購入するまでは）、商品が購入される可能性がある（需要がある）という考え方に基づくものであり、購入される可能性が高いほど目立つように、濃い色でオブジェクトＪｎが表示される。
【００４７】
そして、購買割合が１００％に達すると、オブジェクトＪｎは地図Ｍ上から消えて、その後は表示されなくなる。つまり、これ以上の需要が見込まれない都道府県として、購買状況を店舗ユーザが見る必要がないことから、不要なオブジェクトＪｎは消去される。また、一定期間、購買割合に変化がない場合も、需要が見込まれないものとして、オブジェクトＪｎは地図Ｍ上から消える。
【００４８】
表動画表示領域Ｓ２には、購買状況を示す表Ｈが表示される。表Ｈの列見出しの各セルには、都道府県名が表示される。また、表Ｈの行見出しの各行には、購買状況の表示対象となる期間（以下、「単位期間」と称する）を示す文字が表示される。具体的には、１ヶ月が、上旬（その月の１日〜１０日）、中旬（その月の１１日〜２０日）、及び下旬（その月の２１日〜末日）の各単位期間に分けられている。
【００４９】
見出し以外の各セルには、購買状況の一例として、総購買数を示す数字がセル内の左側に表示され、単位期間あたりの購買数（以下、「期間購買数」と称する）を示す数字がセル内の右側にカッコ書きで表示される。なお、総購買数が０である場合、対応するセルは空白となっている。セルに表示される総購買数は、そのセルが位置する列に対応する単位期間の末日時点での総購買数を示す。また、セルに表示される期間購買数は、そのセルが位置する列に対応する単位期間に商品が購入された数を示す。例えば、図２に示すように、北海道の１１月２０日時点での総購買数は３０であり、北海道の１１月１１日から２０日まで（１１月中旬）の期間購買数は１０である。
【００５０】
表動画の再生開始時には、見出し以外の各セルは空白となっている。そして、表動画の再生が進むに従い、各都道府県の購買状況の変遷に応じて、対象期間の開始月の上旬から対象期間の終了月の下旬に向かって、購買状況を示す数字が順次追加表示されていく。
【００５１】
地図動画と表動画とは、購買状況の変遷が同期するように再生されるようになっている。具体的には、地図動画においてオブジェクトＪｎが購買状況を示している期間と、表動画において最新の購買状況を示す数字が追加表示された単位期間とが一致するように、地図動画と表動画とが再生される。
【００５２】
例えば、図２において、地図動画表示領域Ｓ１には、北海道の購買状況を示すオブジェクトＪ１と、岩手県の購買状況を示すオブジェクトＪ２が表示されている。オブジェクトＪ１及びＪ２は、それぞれ１１月下旬の時点での購買状況を示している。表動画表示領域Ｓ２には、９月上旬から１１月下旬までの北海道の購買状況の変遷が表示されている。また、表動画表示領域Ｓ２には、１１月下旬の岩手県の購買状況が表示されている。１１月下旬の時点の北海道の総購買数は４０であり、岩手県の総購買数は５である。そのため、オブジェクトＪ１及びＪ２それぞれの大きさも、表動画表示領域Ｓ２に表示されている最新の総購買数に応じた大きさとなっている。
【００５３】
その後、１２月下旬までの再生が進むと、例えば、図３に示すような表示となる。地図動画表示領域Ｓ１には、宮城県の購買状況を示すオブジェクトＪ３が新たに表示されている。また、オブジェクトＪ１及びＪ２は、図２に示した時点よりも大きく表示されている。表動画表示領域Ｓ２には、１２月上旬から下旬までの北海道及び岩手県の購買状況が新たに表示されている。そして、北海道及び岩手県の総購買数は１１月下旬よりも増加している。また、表動画表示領域Ｓ２には、１２月下旬の宮城県の購買状況が新たに表示されている。
【００５４】
その後、１月下旬までの再生が進むと、例えば、図４に示すような表示となる。ここで、オブジェクトＪ１は、地図動画表示領域Ｓ１から消去されている。一方、オブジェクトＪ２及びＪ３は、図３に示した時点よりも大きく表示されている。表動画表示領域Ｓ２には、１月上旬から下旬までの北海道、岩手県及び宮城県の購買状況が新たに表示されている。ここで、北海道の総購買数は一定期間（例えば、１ヶ月）増加していない。そのため、オブジェクトＪ１が地図動画表示領域Ｓ１から消去された。一方、岩手県及び宮城県の総購買数は１２月下旬よりも増加している。
【００５５】
このように、商品の購買状況がオブジェクトと表とにより示されることにより、店舗ユーザは、オブジェクトの外観によって、購買状況の変遷を直感的に理解することができるとともに、表の各セルに表示された数字によって、購買状況の変遷を具体的に理解することができる。
【００５６】
地図動画及び表動画の再生中、店舗ユーザは、操作パネル１０２を操作して、地図動画及び表動画の再生を、同時に一時停止させたり、再生を同時に再開させたりすることができる。
【００５７】
図５（ａ）及び（ｂ）は、地図動画表示領域Ｓ１と表動画表示領域Ｓ２との分割比率の変更例である。
【００５８】
また、店舗ユーザは、分割バー１０１をドラッグ操作することにより、地図動画表示領域Ｓ１と表動画表示領域Ｓ２との分割比率（領域の横幅の比率）を変更することができる。例えば、分割バー１０１が地図動画表示領域Ｓ１側に移動すると、図５（ａ）に示すように、地図動画表示領域Ｓ１の横幅が狭くなり、表動画表示領域Ｓ２の横幅が広くなる。これにより、日本地図Ｍが一部のみ表示される場合がある一方で、表Ｈにおいて、分割比率の変更前よりも多い数の列が表示される。一方、分割バー１０１が表動画表示領域Ｓ２側に移動すると、図５（ｂ）に示すように、地図動画表示領域Ｓ１の横幅が広くなり、表動画表示領域Ｓ２の横幅が狭くなる。これにより、表Ｈにおいて、分割比率の変更前より少ない数の列が表示される。
【００５９】
地図動画及び表動画の再生開始時における地図動画表示領域Ｓ１と表動画表示領域Ｓ２との分割比率は、例えば、対象商品の属性によって異なる場合がある。例えば、在庫を多く保有することができない商品（例えば、生鮮食品等）については、デフォルトの分割比率と比較して、地図動画表示領域Ｓ１の横幅が狭くなり、表動画表示領域Ｓ２の横幅が広くなる。これは、在庫数を常に意識しなければならないので、購買状況を注意深く見る必要があるためである。一方、在庫を多く保有することができる商品については、デフォルトの分割比率と比較して、地図動画表示領域Ｓ１の横幅が広くなり、表動画表示領域Ｓ２の横幅が狭くなる。これは、在庫数をあまり意識する必要がないことから、具体的な購買状況を見る必要がないためである。なお、分割バー１０１の操作履歴や店舗が保有する実際の在庫数に基づいて、再生開始時における分割比率が決定されるようにしても良い。
【００６０】
図６（ａ）は、グラフ画像１１０の画面表示例である。また、図６（ｂ）は、商品ページ１２０の画面表示例である。
【００６１】
店舗ユーザは、地図動画表示領域Ｓ１において、何れかのオブジェクトＪｎをクリック操作（指定操作）すると、図６（ａ）に示すように、動画再生用ページ１００のウインドウとは別個のウインドウにグラフ画像１１０が表示される。グラフ画像１１０には、クリック操作されたオブジェクトＪｎに対応する都道府県について、対象期間における総購買数の変遷を示すグラフが表示される。また、グラフ画像１１０には、クリック操作されたオブジェクトＪｎに対応する都道府県が所属する地方における総購買数の平均値の変遷を示すグラフ、及び、この都道府県の近隣の何れか１つの都道府県の総購買数の変遷を示すグラフも表示される。
【００６２】
これにより、店舗ユーザは、所望の都道府県の購買状況の変遷を、一目で直感的に理解することができる。
【００６３】
また、店舗ユーザは、インジケーターバー１０３に対してマウスオーバー操作（インジケーターバーの上にマウスポインタを置く操作）を行うと、図６（ｂ）に示すように、動画再生用ページ１００のウインドウとは別個のウインドウに、対象商品の商品ページ１２０が表示される。商品ページ１２０は、商品の詳細な情報（例えば、商品名、価格、商品の説明、広告コンテンツ１２１等）が掲載されるＷｅｂページである。この商品ページ１２０は、マウスオーバー操作の時点で地図動画及び表動画が購買状況を示している対象の時期に、ＥＣサイトに掲載されていたものである。
【００６４】
これにより、店舗ユーザは、所望の時期における購買状況を見ながら、その当時における商品ページ１２０の内容や広告コンテンツ１２１の内容を確認することができる。
【００６５】
［２．情報提供サーバの構成］
次に、情報提供サーバ１の構成について、図７を用いて説明する。
【００６６】
図７は、本実施形態に係る情報提供サーバ１の概要構成の一例を示すブロック図である。
【００６７】
図７に示すように、情報提供サーバ１は、通信部１１と、記憶部１２と、入出力インターフェース１３と、システム制御部１４と、を備えている。そして、システム制御部１４と入出力インターフェース１３とは、システムバス１５を介して接続されている。
【００６８】
通信部１１は、ネットワークＮＷに接続して、ＥＣサーバ２、店舗端末３及びユーザ端末４等との通信状態を制御するようになっている。
【００６９】
記憶部１２（購買情報記憶手段の一例）は、例えば、ハードディスクドライブ等により構成されている。この記憶部１２には、地図情報ＤＢ（データベース）１２ａ及び購買情報ＤＢ１２ｂが構築されている。
【００７０】
地図情報ＤＢ１２ａには、地図動画データを生成するための情報等が登録されている。具体的に、地図情報ＤＢ１２ａには、日本地図Ｍの地図データが登録されている。また、地図情報ＤＢ１２ａには、都道府県の識別情報である全国地方公共団体コード（以下、「団体コード」と称する）をキーとして、都道府県の人口及び経度緯度の情報が登録されている。
【００７１】
購買情報ＤＢ１２ｂには、都道府県毎の商品の購買状況の履歴が登録されている。具体的に、購買情報ＤＢ１２ｂには、商品のＪＡＮ（Japanese Article Number）コード、都道府県の団体コード及び日付をキーとして、購買数（購買情報の一例）が登録されている。この購買数は、キーとされた日付に商品が購入された数である。なお、購買数に代えて、総購買数が登録されていても良い。
【００７２】
購買情報ＤＢ１２ｂは、例えば、ＥＣサイトで商品の売買が成立するたびに更新される。具体的には、売買が成立したときに、ＥＣサーバ２が、売買された商品のＪＡＮコード、購入したユーザの住所地がある都道府県の団体コード及び売買数を、情報提供サーバ１に送信する。なお、ＥＣサーバ２は、購入したユーザの住所地の代わりに、商品の送付先の住所地がある都道府県の団体コードを、情報提供サーバ１に送信しても良い。ＥＣサーバ２から情報を受信した情報提供サーバ１は、購買情報ＤＢ１２ｂから、受信したＪＡＮコードと団体コード、及び今日の日付をキーとして、購買情報ＤＢ１２ｂから購買数を取得する。そして、情報提供サーバ１は、購買情報ＤＢ１２ｂから取得した購買数に、ＥＣサーバから受信した売買数を加算する。そして、情報提供サーバ１は、新たな購買数を購買情報ＤＢ１２ｂに更新登録する。
【００７３】
また、記憶部１２には、Ｗｅｂページを構成するＨＴＭＬ（Hyper Text Markup Language）文書、ＸＭＬ（Extensible Markup Language）文書、画像データ、テキストデータ等の各種データが記憶されている。例えば、動画再生用ページのＨＴＭＬ文書には、地図動画及び表動画の再生のため、それぞれについてのobjectタグ、paramタグ、embedタグ等が記述されている。そして、動画再生用ページのＨＴＭＬ文書には、地図動画データのＵＲＬや、再生に用いられる動画再生プログラムの指定等が記述されている。あるいは、ＨＴＭＬ５に準拠した場合、動画再生用ページのＨＴＭＬ文書には、地図動画及び表動画それぞれについてのvideoタグ等が記述されている。
【００７４】
動画再生用ページのＨＴＭＬ文書には、更に、JavaScript（登録商標）等で記述された動画再生用スクリプトが記述されている。この動画再生用スクリプトは、店舗端末３において、地図動画と表動画とを同期して再生させたり、分割バー１０１に対するドラッグ操作に応じて地図表示領域Ｓ１と表表示領域Ｓ２との分割比率を変更したり、店舗ユーザの操作に応じて情報提供サーバ１にリクエストを送信したりするためのスクリプトである。
【００７５】
また、記憶部１２には、オペレーティングシステム及びＷＷＷ（World Wide Web）サーバプログラムが記憶されている。また、記憶部１２には、地図動画データ及び表動画データを生成して店舗端末３に送信するためのサーバプログラムが記憶されている。なお、このサーバプログラムは、例えば、他のサーバ装置等からネットワークＮＷを介して取得されるようにしても良いし、ＤＶＤ（Digital Versatile Disc）等の記録媒体に記録されてドライブ装置を介して読み込まれるようにしても良い。
【００７６】
入出力インターフェース１３は、通信部１１及び記憶部１２とシステム制御部１４との間のインターフェース処理を行うようになっている。
【００７７】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ＣＰＵ１４ａが、ＲＯＭ１４ｂや記憶部１２に記憶されたサーバプログラムを読み出し実行することにより、本発明における生成手段、再生制御手段、比率制御手段、特定情報取得手段及び表示制御手段として機能する。
【００７８】
［３．ＥＣサーバの構成］
次に、ＥＣサーバ２の構成について、図８を用いて説明する。
【００７９】
図８は、本実施形態に係るＥＣサーバ２の概要構成の一例を示すブロック図である。
【００８０】
図８に示すように、ＥＣサーバ２は、通信部２１と、記憶部２２と、入出力インターフェース２３と、システム制御部２４と、を備えている。そして、システム制御部２４と入出力インターフェース２３とは、システムバス２５を介して接続されている。
【００８１】
通信部２１は、ネットワークＮＷに接続して、情報提供サーバ１、店舗端末３及びユーザ端末４等との通信状態を制御するようになっている。
【００８２】
記憶部２２は、例えば、ハードディスクドライブ等により構成されている。この記憶部２２には、会員情報ＤＢ２２ａ及び商品ＤＢ２２ｂが構築されている。
【００８３】
会員情報ＤＢ２２ａには、情報提供システムＳに会員登録されたユーザに関する情報が登録されている。具体的に、会員情報ＤＢ２２ａには、ユーザＩＤをキーとして、パスワード、氏名または名称、生年月日、性別、住所、電話番号、メールアドレス等が登録されている。
【００８４】
商品ＤＢ２２ｂには、ＥＣサイトにおいて店舗ユーザにより販売されている商品に関する情報が登録されている。具体的に、商品ＤＢ２２ｂには、店舗に対して識別情報として付与された店舗ＩＤ、及び商品に対して識別情報として付与された商品ＩＤをキーとして、商品のＪＡＮ（Japanese Article Number）コード、商品が属するカテゴリーを示すカテゴリー情報、商品名、価格、商品の紹介等を含む商品情報、商品の画像、商品ページ１２０を構成するＨＴＭＬ文書、在庫数及び広告コンテンツ等が登録されている。
【００８５】
商品ページ１２０のＨＴＭＬ文書は、商品ページ１２０としてＥＣサイトに掲載された時期を示す時期情報と対応付けて登録されている。そのため、商品ページ１２０のＨＴＭＬ文書は、掲載時期毎に複数登録されている場合がある。
【００８６】
また、商品ＤＢ２２ｂには、商品の属性として、在庫をどの程度多く保有することができるかを示す在庫特性値（属性情報の一例）が、商品のカテゴリー毎にカテゴリー情報と対応付けて登録されている。例えば、生鮮食品等のように、在庫を多く保有することができない商品の在庫特性値は低く設定されている。
【００８７】
なお、情報提供サーバ１は、ＥＣサーバ２に対してリクエストを送信することにより、会員情報ＤＢ２２ａ及び商品ＤＢ２２ｂに登録されている情報を取得することができる。
【００８８】
また、記憶部２２には、ＥＣサイトにおけるＷｅｂページを構成するＨＴＭＬ文書、ＸＭＬ文書、画像データ、テキストデータ等の各種データが記憶されている。
【００８９】
また、記憶部２２には、オペレーティングシステム及びＷＷＷサーバプログラムが記憶されている。
【００９０】
入出力インターフェース２３は、通信部２１及び記憶部２２とシステム制御部２４との間のインターフェース処理を行うようになっている。
【００９１】
システム制御部２４は、ＣＰＵ２４ａ、ＲＯＭ２４ｂ、ＲＡＭ２４ｃ等により構成されている。そして、システム制御部２４は、ＣＰＵ２４ａが、ＲＯＭ２４ｂや記憶部２２に記憶された各種プログラムを読み出し実行することにより、ＥＣサーバ２の各部を制御するようになっている。
【００９２】
［４．店舗端末の構成］
次に、店舗端末３の構成について、図９を用いて説明する。
【００９３】
図９は、本実施形態に係る店舗端末３の概要構成の一例を示すブロック図である。
【００９４】
図９に示すように、店舗端末３は、通信部３１と、記憶部３２と、表示部３３と、操作部３４と、ドライブ部３５と、入出力インターフェース３６と、システム制御部３７と、を備えている。そして、システム制御部３７と入出力インターフェース３６とは、システムバス３８を介して接続されている。
【００９５】
通信部３１は、ネットワークＮＷ等に接続して、情報提供サーバ１やＥＣサーバ２等との通信状態を制御するようになっている。
【００９６】
記憶部３２は、例えば、ハードディスクドライブ等により構成されている。この記憶部３２には、オペレーティングシステムが記憶されている。また、記憶部３２には、Ｗｅｂページを表示するためのブラウザ、動画データを再生するための動画再生プログラム等のアプリケーションプログラムが記憶されている。
【００９７】
表示部３３は、例えば、液晶ディスプレイ等により構成されており、文字や画像等の情報を表示するようになっている。
【００９８】
操作部３４は、例えば、キーボード及びマウス、あるいは、キー、タッチパネル等により構成されており、ユーザからの操作指示を受け付け、その指示内容を指示信号としてシステム制御部３７に出力するようになっている。
【００９９】
ドライブ部３５は、ＤＶＤやメモリカード等のディスクＤＫからデータ等を読み出す一方、当該ディスクＤＫに対してデータ等を記録するようになっている。
【０１００】
入出力インターフェース３６は、通信部３１〜ドライブ部３５とシステム制御部３７との間のインターフェース処理を行うようになっている。
【０１０１】
システム制御部３７は、ＣＰＵ３７ａ、ＲＯＭ３７ｂ、ＲＡＭ３７ｃ等により構成されている。そして、システム制御部３７は、ＣＰＵ３７ａが、ＲＯＭ３７ｂや記憶部３２に記憶された各種プログラムを読み出し実行することにより、表示手段及び制御手段として機能する。
【０１０２】
［５．情報提供システムの動作］
次に、情報提供システムＳの動作について、図１０乃至図１２を用いて説明する。
【０１０３】
図１０は、本実施形態に係る情報提供サーバ１のシステム制御部１４における処理例を示すフローチャートである。
【０１０４】
図１０に示すように、システム制御部１４は、対象商品のＪＡＮコード及び対象期間を取得する（ステップＳ１１）。先ず、システム制御部１４は、店舗ユーザが販売している商品の一覧を取得する。具体的に、システム制御部１４は、店舗ユーザが所属している店舗の店舗ＩＤを設定したリクエストをＥＣサーバ２に送信することにより、店舗ＩＤに対応する商品ＩＤ、商品名、ＪＡＮコード及びカテゴリー情報を、商品ＤＢ２２ｂから取得する。次いで、システム制御部１４は、商品ＤＢ２２ｂから取得した情報に基づいて、ユーザが販売している商品の中からユーザが対象商品を選択するため、及び、対象期間の開始月及び終了月を指定するためのＷｅｂページを店舗端末３に送信する。そして、システム制御部１４は、ユーザにより選択された対象商品のＪＡＮコード及び対象期間の開始月及び終了月を、店舗端末３から受信する。なお、対象期間の終了月の指定は省略可能である。
【０１０５】
次いで、システム制御部１４は、対象期間の終了月を店舗ユーザが指定したか否かを判定する（ステップＳ１２）。このとき、システム制御部１４は、対象期間の終了月を店舗ユーザが指定しなかったと判定した場合には（ステップＳ１２：ＮＯ）、今日の日付を、対象期間の終了日として設定して（ステップＳ１３）、ステップＳ１４に移行する。一方、システム制御部１４は、対象期間の終了月をユーザが指定したと判定した場合には（ステップＳ１２：ＹＥＳ）、ステップＳ１４に移行する。なお、終了月が指定されている場合、対象期間の終了日は、指定された終了月の末日となる。
【０１０６】
ステップＳ１４において、システム制御部１４は、比率制御手段として、地図動画表示領域Ｓ１と表動画表示領域Ｓ２との分割比率を決定する。具体的に、システム制御部１４は、商品ＤＢ２２ｂから取得したカテゴリー情報を設定したリクエストをＥＣサーバ２に送信することにより、カテゴリー情報に対応する在庫特性値を商品ＤＢ２２ｂから取得する。そして、システム制御部１４は、在庫特性値が低いほど、表動画表示領域Ｓ２の方の割合を高くして分割比率を決定する一方、在庫特性値が高いほど、地図動画表示領域Ｓ１の方の割合を高くして分割比率を決定する。
【０１０７】
次いで、システム制御部１４は、動画再生用ページ１００のＨＴＭＬ文書を店舗端末３に送信する（ステップＳ１５）。このとき、システム制御部１４は、決定した分割比率に基づいて、地図動画表示領域Ｓ１及び表動画表示領域Ｓ２それぞれの横幅のピクセル数を算出する。そして、システム制御部１４は、動画再生用ページ１００のＨＴＭＬ文書に、地図動画表示領域Ｓ１及び表動画表示領域Ｓ２それぞれの横幅を記述する。
【０１０８】
その後、システム制御部１４は、動画再生用ページ１００を表示した店舗端末３から、地図動画データのリクエストと表動画データのリクエストを受信すると、地図動画データ及び表動画データの生成及び送信を開始する。
【０１０９】
先ず、システム制御部１４は、地図動画データを構成するフレーム画像データ（以下、「地図フレーム画像データ」という）及び表動画データを構成するフレーム画像データ（以下、「表フレーム画像データ」という）として、再生開始時における地図フレーム画像データ及び表フレーム画像データを生成する（ステップＳ１６）。具体的に、システム制御部１４は、オブジェクトＪｎが配置されていない日本地図Ｍを示す地図フレーム画像データを生成する。また、システム制御部１４は、見出し以外の全てのセルが空白の表Ｈを示す表フレーム画像データを生成する。
【０１１０】
次いで、システム制御部１４は、生成した地図フレーム画像データ及び表フレーム画像データのそれぞれに、同一のタイムスタンプを付加して店舗端末３に送信する（ステップＳ１７）。このタイムスタンプは、付加されたフレーム画像データに基づくフレーム画像が表示されるべき再生位置を示す。システム制御部１４は、再生開始時のタイムスタンプとして、０秒を設定する。
【０１１１】
次いで、各都道府県の総購買数をそれぞれ０に設定するとともに、各都道府県の期間購買数をそれぞれ０に設定する（ステップＳ１８）。次いで、システム制御部１４は、処理対象日として、対象期間の開始月の１日を設定する（ステップＳ１９）。
【０１１２】
次いで、システム制御部１４は、後述するリクエスト対応処理を実行する（ステップＳ２０）。
【０１１３】
次いで、システム制御部１４は、各都道府県の総購買数、購買割合及び期間購買数をそれぞれ算出する（ステップＳ２１）。具体的に、システム制御部１４は、処理対象日における各都道府県の対象商品の購買数を、購買情報ＤＢ１２ｂからそれぞれ取得する。次いで、システム制御部１４は、現在の総購買数に、取得した購買数を加算することにより、各都道府県の総購買数を更新する。次いで、システム制御部１４は、総購買数を、地図情報ＤＢ１２ａに登録されているその都道府県の人口で除算することにより、各都道府県の購買割合を算出する。また、システム制御部１４は、現在の期間購買数に、取得した購買数を加算することにより、各都道府県の期間購買数を更新する。
【０１１４】
次いで、システム制御部１４は、生成手段として、地図フレーム画像データを１つ生成する（ステップＳ２２）。具体的に、システム制御部１４は、日本地図ＭのビットマップイメージをＲＡＭ１４ｃに展開する。このとき、システム制御部１４は、日本地図Ｍのビットマップイメージの横幅のピクセル数を、現在の分割比率に応じた地図動画表示領域Ｓ１の横幅のピクセル数に一致させる。次いで、システム制御部１４は、都道府県毎に、それぞれの総購買数に対応するオブジェクトＪｎの大きさを決定するとともに、それぞれの購買割合に対応するオブジェクトＪｎの色を決定する。そして、システム制御部１４は、決定された大きさ及び色のオブジェクトＪｎを、日本地図のビットマップイメージ上に描画する。このとき、システム制御部１４は、地図情報ＤＢ１２ａに登録されている経度緯度の情報に基づいて、各オブジェクトＪｎの表示位置を決定する。つまり、システム制御部１４は、オブジェクトＪｎが、地図上においてそのオブジェクトＪｎが購買状況を示す都道府県の所在する位置に表示されるようにする。こうして、オブジェクトＪｎが描画されたビットマップイメージが、処理対象日が示す日の時点での購買状況を示す地図フレーム画像データに相当する。
【０１１５】
次いで、システム制御部１４は、現在の処理対象日が、単位期間の末日であるか否かを判定する（ステップＳ２３）。このとき、システム制御部１４は、現在の処理対象日が単位期間の末日ではないと判定した場合には（ステップＳ２３：ＮＯ）、生成した地図フレーム画像データを、店舗端末３に送信する（ステップＳ２４）。
【０１１６】
一方、システム制御部１４は、現在の処理対象日が単位期間の末日であると判定した場合には（ステップＳ２３：ＹＥＳ）、生成手段として、表フレーム画像データを１つ生成する（ステップＳ２５）。具体的に、システム制御部１４は、ＲＡＭ１４ｃ上に、表Ｈのビットマップイメージを生成する。このとき、システム制御部１４は、表Ｈのビットマップイメージの横幅のピクセル数を、現在の分割比率に応じた表動画表示領域Ｓ２の横幅のピクセル数に一致させる。また、システム制御部１４は、表動画表示領域Ｓ２の横幅のピクセル数に応じて、表Ｈの列数を決定する。そして、システム制御部１４は、現在の処理対象日が含まれる単位期間に対応する列の各セルに、総購買数及び期間購買数を示す数字を都道府県毎に描画する。こうして、数字が描画されたビットマップイメージが、処理対象日が示す日の時点での購買状況を示す表フレーム画像データに相当する。なお、システム制御部１４は、最初に表Ｈのビットマップイメージを生成した後は、このビットマップイメージを利用して、次回以降の表フレーム画像データを生成する。
【０１１７】
次いで、システム制御部１４は、生成した地図フレーム画像データ及び表フレーム画像データのそれぞれに、同一のタイムスタンプを付加して店舗端末３に送信する（ステップＳ２６）。この場合のタイムスタンプは、タイムスタンプが付加されるこれらのフレーム画像データに基づいてフレーム画像を表示すべき再生位置に対応した値である。このように、システム制御部１４は、同時期の購買状況を示す地図Ｍのフレーム画像データ及び表Ｈのフレーム画像データに、同一のタイムスタンプを付加することにより、再生制御手段として、地図画像データ及び表動画データを、購買状況の変遷が同期するように、店舗端末３により再生させる。
【０１１８】
次いで、システム制御部１４は、各都道府県の期間購買数をそれぞれ０に設定する（ステップＳ２７）。
【０１１９】
システム制御部１４は、ステップＳ２４またはＳ２７の処理を終えると、処理対象日が、対象期間の終了日と同日であるか否かを判定する（ステップＳ２８）。このとき、システム制御部１４は、処理対象日が、対象期間の終了日と同日ではないと判定した場合には（ステップＳ２８：ＮＯ）、処理対象日に１を加算して、処理対象日を更新する（ステップＳ２９）。そして、システム制御部１４は、ステップＳ２０に移行する。
【０１２０】
システム制御部１４は、ステップＳ２０〜Ｓ２８の処理を繰り返すことにより、１日単位で、その日の時点での購買状況を示す地図フレーム画像データを順次生成しながら、地図フレーム画像データを店舗端末３に送信する。また、システム制御部１４は、単位期間毎の購買状況を示す表フレーム画像データを順次生成しながら、表フレーム画像データを店舗端末３に送信する。そして、ステップＳ２８において、システム制御部１４は、処理対象日が、対象期間の終了日と同日であると判定した場合には（ステップＳ２８：ＹＥＳ）、図１０に示す処理を終了させる。
【０１２１】
図１１は、本実施形態に係る情報提供サーバ１のシステム制御部１４におけるリクエスト対応処理の処理例を示すフローチャートである。
【０１２２】
図１１に示すように、システム制御部１４は、分割比率を変更するリクエスト（以下、「分割比率変更リクエスト」と称する）を店舗端末３から受信したか否かを判定する（ステップＳ５１）。
【０１２３】
このとき、システム制御部１４は、分割比率変更リクエストを受信したと判定した場合には（ステップＳ５１：ＹＥＳ）、分割比率を変更する（ステップＳ５２）。具体的に、分割比率変更リクエストには、分割バー１０１に対するドラッグ操作による変更後の分割比率が設定されている。そこで、システム制御部１４は、現在の分割比率を、分割比率変更リクエストに設定されている分割比率に変更する。システム制御部１４は、ステップＳ５２の処理を終えると、リクエスト対応処理を終了させる。
【０１２４】
一方、システム制御部１４は、分割比率変更リクエストを受信しなかったと判定した場合には（ステップＳ５１：ＮＯ）、グラフ画像１１０のリクエスト（以下、「グラフリクエスト」と称する）を店舗端末３から受信したか否かを判定する（ステップＳ５３）。
【０１２５】
このとき、システム制御部１４は、グラフリクエストを受信したと判定した場合には（ステップＳ５３：ＹＥＳ）、グラフの画像データを生成して店舗端末３に送信する（ステップＳ５４）。具体的に、グラフリクエストには、店舗ユーザが地図動画表示領域Ｓ１内をクリック操作したときのクリックされた位置の座標（特定情報の一例）が設定されている。そこで、システム制御部１４は、グラフリクエストに設定されている座標と、地図情報ＤＢ１２ａに登録されている経度緯度の情報とに基づいて、クリックされた位置に対応する都道府県を特定する。次いで、システム制御部１４は、特定した都道府県の現在の総購買数が０であるか否かを判定する。総購買数が０である都道府県については、地図動画表示領域Ｓ１にオブジェクトＪｎが表示されていない。その場合、システム制御部１４は、グラフ画像データの生成及び送信を行わない。一方、システム制御部１４は、特定した都道府県の現在の総購買数が０ではない場合には、特定した都道府県、特定した都道府県の近隣の都道府県、及び特定した都道府県が所属する地方について、対象期間の開始日から終了日までの総購買数の変遷を示すグラフの画像データを生成する。そして、システム制御部１４は、生成したグラフの画像データを店舗端末３に送信する。システム制御部１４は、ステップＳ５４の処理を終えると、リクエスト対応処理を終了させる。
【０１２６】
一方、システム制御部１４は、グラフリクエストを受信しなかったと判定した場合には（ステップＳ５３：ＮＯ）、商品ページ１２０のリクエストを店舗端末３から受信したか否かを判定する（ステップＳ５５）。
【０１２７】
このとき、システム制御部１４は、商品ページ１２０のリクエストを受信したと判定した場合には（ステップＳ５５：ＹＥＳ）、商品ページ１２０のＨＴＭＬ文書を店舗端末３に送信する（ステップＳ５６）。具体的に、システム制御部１４は、店舗ユーザが所属している店舗の店舗ＩＤ及び対象商品の商品ＩＤを設定したリクエストをＥＣサーバ２に送信することにより、店舗ＩＤ及び商品ＩＤに対応する全ての商品ページ１２０のＨＴＭＬ文書及び商品ページ１２０の掲載時期を示す時期情報を、商品ＤＢ２２ｂから取得する。次いで、システム制御部１４は、時期情報に基づいて、取得した商品ページ１２０のＨＴＭＬ文書のうち、掲載時期が現在の処理対象日を含む商品ページ１２０のＨＴＭＬ文書を選択する。そして、システム制御部１４は、選択したＨＴＭＬ文書を店舗端末３に送信する。システム制御部１４は、ステップＳ５６の処理を終えると、リクエスト対応処理を終了させる。
【０１２８】
一方、システム制御部１４は、商品ページ１２０のリクエストを受信しなかったと判定した場合には（ステップＳ５５：ＮＯ）、リクエスト対応処理を終了させる。
【０１２９】
図１２は、本実施形態に係る店舗端末３のシステム制御部３７における処理例を示すフローチャートである。
【０１３０】
図１２に示す処理は、店舗端末３が、情報提供サーバ１から動作再生用ページ１００のＨＴＭＬ文書を受信したときに開始される。先ず、システム制御部３７は、受信したＨＴＭＬ文書に基づいて、動作再生用ページ１００を表示部３３に表示させる（ステップ７１）。このとき、システム制御部３７は、ＨＴＭＬ文書の記述に基づいて、地図動画表示領域Ｓ１及び表動画表示領域Ｓ２それぞれの横幅を決定するとともに、分割バー１０１の表示位置を決定する。このように、システム制御部３７は、領域制御手段として、地図動画表示領域Ｓ１及び表動画表示領域Ｓ２を、商品の属性に応じた分割比率に対応して制御する。
【０１３１】
次いで、システム制御部３７は、ＨＴＭＬ文書の記述に基づいて動作再生プログラムを起動し、地図動画データのリクエストと表動画データのリクエストを情報提供サーバ１に送信する（ステップＳ７２）。
【０１３２】
次いで、システム制御部３７は、地図動画データ受信処理を実行する（ステップＳ７３）。具体的に、システム制御部３７は、情報提供サーバ１から地図フレーム画像データが送信されてきた場合には、この地図フレーム画像データを受信して、ＲＡＭ３７ｃの地図動画用バッファに保持する。
【０１３３】
次いで、システム制御部３７は、表動画データ受信処理を実行する（ステップＳ７４）。具体的に、システム制御部３７は、情報提供サーバ１から表フレーム画像データが送信されてきた場合には、この表フレーム画像データを受信して、ＲＡＭ３７ｃの表動画用バッファに保持する。
【０１３４】
次いで、システム制御部３７は、地図動画データの再生処理及び表動画データの再生処理を実行する（ステップＳ７５）。
【０１３５】
具体的に、システム制御部３７は、地図動画用のフレームレートに基づいて、フレーム画像の描画のタイミングであるか否かを判定する。そして、システム制御部３７は、描画のタイミングであると判定した場合には、地図動画用のバッファから地図フレーム画像データを取得して、取得した地図フレーム画像データに基づき、地図Ｍのフレーム画像を地図動画表示領域Ｓ１に描画する。これにより、システム制御部３７は、表示手段として、オブジェクトＪｎが配置された地図Ｍを表示する。
【０１３６】
また、システム制御部３７は、表動画用のフレームレート（地図動画用のフレームレートの１０分の１のレート）に基づいて、フレーム画像の描画のタイミングであるか否かを判定する。そして、システム制御部３７は、描画のタイミングであると判定した場合には、表動画用のバッファから表フレーム画像データを取得して、取得した表フレーム画像データに基づき、表Ｈのフレーム画像を表動画表示領域Ｓ２に描画する。これにより、システム制御部３７は、表示手段として、購買状況を単位期間毎に示す表Ｈを表示する。
【０１３７】
ここで、システム制御部３７は、地図フレーム画像データに付加されているタイムスタンプと、表フレーム画像データに付加されているタイムスタンプと、に基づいて、地図動画の再生位置と表動画の再生位置とが一致するように、地図動画及び表動画の両方または一方のフレームレートを調整する。これにより、地図動画が示す購買状況の変遷と、表動画が示す購買状況の変遷とが同期する。
【０１３８】
次いで、システム制御部３７は、地図動画及び表動画の再生が終了したか否かを判定する（ステップＳ７６）。このとき、システム制御部３７は、地図動画及び表動画の再生が終了していないと判定した場合には（ステップＳ７６：ＮＯ）、分割バー１０１に対するドラッグ操作を検出したか否かを判定する（ステップＳ７７）。このとき、システム制御部３７は、分割バー１０１に対するドラッグ操作を検出したと判定した場合には（ステップＳ７７：ＹＥＳ）、情報提供サーバ１に分割比率変更リクエストを送信する（ステップＳ７８）。このとき、システム制御部３７は、分割バー１０１がドラッグ操作に応じて、分割バー１０１の表示位置を変更するとともに、地図動画表示領域Ｓ１及び表動画表示領域Ｓ２それぞれの横幅を変更する。また、システム制御部３７は、横幅の変更後の地図動画表示領域Ｓ１及び表動画表示領域Ｓ２の分割比率を算出し、算出した分割比率を、分割比率変更リクエストに設定する。システム制御部３７は、ステップＳ７８の処理を終えると、ステップＳ８３に移行する。
【０１３９】
一方、システム制御部３７は、分割バー１０１に対するドラッグ操作を検出しなかったと判定した場合には（ステップＳ７７：ＮＯ）、地図動画表示領域Ｓ１に対するクリック操作を検出したか否かを判定する（ステップＳ７９）。このとき、システム制御部３７は、地図動画表示領域Ｓ１に対するクリック操作を検出したと判定した場合には（ステップＳ７９：ＹＥＳ）、情報提供サーバ１にグラフリクエストを送信する（ステップＳ８０）。このとき、システム制御部３７は、地図動画表示領域Ｓ１内のクリックされた位置を示す座標を取得して、取得した座標をグラフリクエストに設定する。システム制御部３７は、ステップＳ８０の処理を終えると、ステップＳ８３に移行する。
【０１４０】
一方、システム制御部３７は、地図動画表示領域Ｓ１に対するクリック操作を検出しなかったと判定した場合には（ステップＳ７９：ＮＯ）、インジケーターバー１０３に対するマウスオーバー操作を検出したか否かを判定する（ステップＳ８１）。このとき、システム制御部３７は、インジケーターバー１０３に対するマウスオーバー操作を検出したと判定した場合には（ステップＳ８１：ＹＥＳ）、情報提供サーバ１に商品ページ１２０のリクエストを送信して（ステップ８２）、ステップＳ８３に移行する。
【０１４１】
一方、システム制御部３７は、インジケーターバー１０３に対するマウスオーバー操作を検出しなかったと判定した場合には（ステップＳ８１：ＮＯ）、情報提供サーバ１からグラフ画像データを受信したか否かを判定する（ステップＳ８３）。このとき、システム制御部３７は、グラフ画像データを受信したと判定した場合には（ステップＳ８３：ＹＥＳ）、受信したグラフ画像データに基づいて、グラフ画像１１０をウインドウ表示する（ステップＳ８４）。次いで、システム制御部３７は、ステップＳ７３に移行する。
【０１４２】
一方、システム制御部３７は、グラフ画像データを受信したなかったと判定した場合には（ステップＳ８３：ＮＯ）、情報提供サーバ１から商品ページ１２０のＨＴＭＬ文書を受信したか否かを判定する（ステップＳ８５）。このとき、システム制御部３７は、商品ページ１２０のＨＴＭＬ文書を受信したと判定した場合には（ステップＳ８５：ＹＥＳ）、受信したＨＴＭＬ文書に基づいて、商品ページ１２０をウインドウ表示する（ステップＳ８６）。次いで、システム制御部３７は、ステップＳ７３に移行する。
【０１４３】
一方、システム制御部３７は、商品ページ１２０のＨＴＭＬ文書を受信しなかったと判定した場合には（ステップＳ８５：ＮＯ）、ステップＳ７３に移行する。
【０１４４】
システム制御部３７は、ステップＳ７３〜Ｓ７５の処理を繰り返すことにより、地図動画と表動画とを、互いの再生位置を一致させながら再生する。これにより、システム制御部３７は、制御手段として、再生時間が経過するに従って、地図Ｍ上に表示されるオブジェクトＪｎの外観を購買状況の変遷に応じて変化させるとともに、オブジェクトＪｎが購買状況を示す対象の単位期間が変わったときに、対象の単位期間となった購買状況を、表Ｈに表示させる。
【０１４５】
そして、システム制御部３７は、ステップ７６において、地図動画及び表動画の再生が終了したと判定した場合には（ステップＳ７６：ＹＥＳ）、図１２に示す処理を終了させる。
【０１４６】
以上説明したように、本実施形態によれば、情報提供サーバ１の記憶部１２が、複数の都道府県における商品の購買数の履歴を記憶し、ＥＣサーバ２の記憶部２２が、商品の属性としての在庫特性値を記憶し、情報提供サーバ１の記憶部１４が、各都道府県の購買状況の変遷を示す動画データとして、表示位置に対応する都道府県の購買状況を外観で示すオブジェクトＪｎが配置された日本地図Ｍの地図動画データと、予め定められた期間単位で購買状況が順次表示される表Ｈの表動画データと、を生成し、商品の属性としての在庫特性値に基づいて、地図動画表示領域Ｓ１と表動画表示領域Ｓ２との分割比率を制御し、地図動画データ及び表動画データを店舗端末３により再生させる。従って、購買状況の変遷を、店舗ユーザが直感的に且つ具体的に理解することができる。また、商品の属性に合った分割比率となることで、購買状況の変遷をユーザが容易に理解することができる。
【０１４７】
また、情報提供サーバ１のシステム制御部１４が、地図動画と表動画との間で購買状況の変遷が同期するように地図動画データ及び表動画データを店舗端末３により再生させるので、購買状況の変遷をユーザがより容易に理解することができる。
【０１４８】
また、情報提供サーバ１のシステム制御部１４が、店舗端末３において地図動画表示領域Ｓ１から店舗ユーザがオブジェクトＪｎをクリック操作した場合に、クリックされたオブジェクトＪｎの表示位置を示す座標を店舗端末３から取得し、取得した座標により特定される都道府県の購買数に基づいて、当該都道府県の購買状況の変遷を示すグラフを、店舗端末３に表示させる。従って、店舗ユーザが所望する都道府県における商品の購買状況の変遷を、店舗ユーザが一見して直感的に理解することができる。
【０１４９】
以下においては、商品の属性以外で分割比率を制御する場合について説明する。
【０１５０】
分割バー１０１の操作履歴に基づいて制御する場合、情報提供サーバ１のシステム制御部１４は、店舗端末３から分割比率変更リクエストを受信すると、操作履歴（履歴情報の一例）を記憶部１２に記録する。具体的に、システム制御部１４は、操作履歴として、店舗ユーザが所属する店舗ＩＤ、分割比率変更リクエストに設定されている分割比率及び分割比率変更リクエストを受信した日時を記録する。そして、システム制御部１４は、店舗ユーザが所属する店舗ＩＤに対応する操作履歴に基づいて、動画の再生開始時の分割比率を決定する。例えば、システム制御部１４は、操作履歴に含まれている各分割比率の平均値を、再生開始時の分割比率としても良いし、操作履歴に含まれている最新の分割比率を、再生開始時の分割比率としても良い。これにより、分割比率を、店舗ユーザに合った比率にすることができる。
【０１５１】
在庫数に基づいて制御する場合、例えば、ＥＣサーバ２において、各店舗の商品の在庫数の履歴を記憶部２２に記録しておく。そして、情報提供サーバ１のシステム制御部１４は、ＥＣサーバ２から、店舗ユーザが属する店舗における対象商品の在庫数の履歴を取得する。次いで、システム制御部１４は、在庫数が最も多かったときの在庫数に対する対象期間の開始日の時点での在庫数の割合を算出する。そして、システム制御部１４は、算出した割合が小さいほど、表動画表示領域Ｓ２の横幅が広くなるように分割比率を決定し、算出した割合が大きいほど、地図動画表示領域Ｓ１の横幅が広くなるように、分割比率を決定する。これにより、購買状況の変遷を具体的に見る方が良い在庫数であるか否か等に応じて、分割比率を変えることができる。
【０１５２】
また、情報提供サーバ１のシステム制御部１４は、商品の属性、分割バー１０１の操作履歴及び在庫数のうち、何れか２つの情報に基づいて、または、全ての情報に基づいて、分割比率を制御しても良い。例えば、システム制御部１４は、商品の属性に基づいて第１の分割比率を求め、また、分割バー１０１の操作履歴に基づいて第２の分割比率を求めて、第１の分割比率と第２の分割比率との平均値を最終的な分割比率としても良い。
【０１５３】
なお、上記実施形態においては、地図動画表示領域Ｓ１に日本地図Ｍ全体が表示され、全都道府県の購買状況の変遷を表示可能なように、地図動画データが生成されるようになっていたが、店舗の商圏に応じて、表示される範囲が変化しても良い。これにより、購買状況の表示範囲を店舗ユーザの商圏に応じた範囲にすることができるので、購買状況の変遷を店舗ユーザがより理解しやすくなる。
【０１５４】
具体的には、例えば、ＥＣサーバ２において、各店舗の商圏を示す商圏情報を商品ＤＢ２２ｂに登録しておく。この商圏情報は、商圏が日本全国である場合には、日本全国を示し、商圏が日本全国ではない場合には、都道府県単位または地方単位等で商圏を示す。情報提供サーバ１のシステム制御部１４は、ＥＣサーバ２から、店舗ユーザが属する店舗の商圏情報を取得する。そして、システム制御部１４は、商圏情報に基づいて、商圏が日本全国である場合には、日本地図Ｍ全体が表示されるように地図動画を生成する。一方、システム制御部１４は、商圏が一地域である場合には、その地域の地図が拡大表示されるように地図動画データを生成する。また、システム制御部１４は、商圏が一地域である場合には、表Ｈにおいて、商圏に含まれる都道府県のみの行が表示されるように、表動画データを生成する。
【０１５５】
また、上記実施形態においては、地図動画において、１都道府県につき１つのオブジェクトＪｎが表示されるようになっていたが、１都道府県につき複数のオブジェクトＪｎが同時に表示されるようになっていても良い。例えば、図１３に示すように、北海道にオブジェクトＪ１ａ〜Ｊ１ｃが表示される。オブジェクトＪ１ａは、例えば、１１月時点での購買状況を示す。オブジェクトＪ１ｂは、例えば、１０月時点での購買状況を示す。オブジェクトＪ１ｃは、例えば、９月時点での購買状況を示す。各オブジェクトＪｎが購買状況を示している対象の時期が１ヶ月ずつずれている。オブジェクトＪ１ａ〜Ｊ１ｃの中心位置は互いに一致している。一方、オブジェクトＪ１ａ〜Ｊ１ｃの透過度は互いに異なっているので、店舗ユーザは、オブジェクトＪ１ａ〜Ｊ１ｃをそれぞれ見分けることができる。そして、地図動画の再生にともなって、オブジェクトＪ１ａ〜Ｊ１ｃの外観がそれぞれ独立して変化する。例えば、オブジェクトＪ１ａが、１２月時点での購買状況を示すとき、オブジェクトＪ１ｂは、１１月時点での購買状況を示し、オブジェクトＪ１ｃは、１０月時点での購買状況を示す。これにより、購買状況の変遷を店舗ユーザが一見して直感的に理解することができる。
【０１５６】
このような表示のため、システム制御部１４は、図１０に示す処理において、処理対象日、処理対象日の１ヶ月前及び処理対象日の２ヶ月前それぞれの総購買数及び購買割合を記憶する。そして、システム制御部１４は、それぞれの総購買数及び購買割合に基づいて、日本地図Ｍのビットマップイメージに対して、オブジェクトＪｎａ〜Ｊｎｃを描画する。なお、一度に表示するオブジェクトＪｎの個数は３個以外であっても良い。また、各オブジェクトＪｎが購買状況を示す対象の時期のずれは、１ヶ月以外であっても良い。
【０１５７】
また、上記実施形態においては、オブジェクトＪｎが、購買割合と総購買数とを示すようになっていたが、何れか一方のみを示すようにしても良い。
【０１５８】
また、上記実施形態においては、表Ｈには、総購買数と期間購買数とが表示されるようになっていたが、何れか一方のみが表示されるようにしても良い。
【０１５９】
また、購買割合が、オブジェクトの大きさ、模様または形状によって示されても良いし、総購買数が、オブジェクトの色、模様または形状またはによって示されても良い。
【０１６０】
また、上記実施形態においては、情報提供サーバ１が、店舗端末３に地図動画データ及び表動画データを送信するとき、それぞれの動画データを構成するフレーム画像データを生成しつつ送信していたが、対象期間の開始日から終了日までの一連の動画として地図動画データ及び表動画データの生成が完了した後で、これらの動画データを、例えば、ストリーミングで店舗端末３に送信しても良い。
【０１６１】
また、上記実施形態においては、１日単位で購買状況が変化するように地図動画データが生成されていたが、例えば、１週間単位、１０日単位等で購買状況が変化するように地図動画データが生成されても良い。また、上記実施形態においては、月の上旬、中旬、下旬の単位で購買状況が表示されるように表動画データが生成されていたが、例えば、１ヶ月単位で購買状況が表示されるように表動画データが生成されても良い。
【０１６２】
また、情報提供サーバ１とＥＣサーバ２とを一体のサーバ装置として構成しても良い。また、データベース管理サーバを別途設け、データベース管理サーバが、地図情報ＤＢ１２ａ、購買情報ＤＢ１２ｂ、会員情報ＤＢ２２ａ及び商品ＤＢ２２ｂを管理しても良い。この場合、情報提供サーバ１は、地図動画データの生成に必要な情報を、データベース管理サーバから取得し、記憶部１２またはＲＡＭ３７ｃに一時的に記憶させて使用する。
【０１６３】
また、上記実施形態においては、１つの商品について購買状況の変遷が表示されるようになっていたが、複数の商品について、それぞれ購買状況の変遷が表示されても良い。
【符号の説明】
【０１６４】
１  情報提供サーバ
２  ＥＣサーバ
３  店舗端末
４  ユーザ端末
１１  通信部
１２  記憶部
１２ａ  地図情報ＤＢ
１２ｂ  購買情報ＤＢ
１３  入出力インターフェース
１４  システム制御部
１４ａ  ＣＰＵ
１４ｂ  ＲＯＭ
１４ｃ  ＲＡＭ
１５  システムバス
２２ａ  会員情報ＤＢ
２２ｂ  商品ＤＢ
３１  通信部
３２  記憶部
３３  表示部
３４  操作部
３５  ドライブ部
３６  入出力インターフェース
３７  システム制御部
３７ａ  ＣＰＵ
３７ｂ  ＲＯＭ
３７ｃ  ＲＡＭ
３８  システムバス
ＮＷ  ネットワーク
Ｓ  情報提供システム
【図１】
2013167915.tif 000003
【図２】
2013167915.tif 000004
【図３】
2013167915.tif 000005
【図４】
2013167915.tif 000006
【図５】
2013167915.tif 000007
【図６】
2013167915.tif 000008
【図７】
2013167915.tif 000009
【図８】
2013167915.tif 000010
【図９】
2013167915.tif 000011
【図１０】
2013167915.tif 000012
【図１１】
2013167915.tif 000013
【図１２】
2013167915.tif 000014
【図１３】
2013167915.tif 000015